(57)【特許請求の範囲】
【請求項１】
所定のディスプレイ装置を利用するユーザから入力されたユーザ情報に基づいてユーザ視聴等級を分析し、放送局から伝送された放送信号から番組情報を抽出して番組等級を分析する情報分析部と、
前記ユーザ視聴等級と前記番組等級とを比較する等級比較部と、
前記ディスプレイ装置の動作時間をチェックする動作時間チェック部と、
前記比較結果及び前記動作時間によってランプの所定色相及び輝度を調節するランプ管理部と、を備えるユーザの視聴等級に基づいて番組等級及び視聴量を表示するディスプレイ装置。
【請求項２】
前記ユーザ情報、番組情報、及びユーザが視聴したディスプレイ装置の情報を保存する保存部と、をさらに備える請求項１に記載のユーザの視聴等級に基づいて番組等級及び視聴量を表示するディスプレイ装置。
【請求項３】
前記ランプ管理部は、前記チェックされたディスプレイ装置の動作時間に基づいて前記点灯されたランプの輝度を調整する請求項２に記載のユーザの視聴等級に基づいて番組等級及び視聴量を表示するディスプレイ装置。
【請求項４】
前記点灯されるランプの色相は、前記ユーザの視聴等級及び前記分析された番組等級によって異なって点灯される請求項１に記載のユーザの視聴等級に基づいて番組等級及び視聴量を表示するディスプレイ装置。
【請求項５】
所定のディスプレイ装置を利用するユーザからユーザ情報を入力されるステップと、
前記入力されたユーザ情報に基づいてユーザ視聴等級を分析し、放送局から伝送された放送信号から番組情報を抽出して番組等級を分析するステップと、
前記分析されたユーザ視聴等級と番組等級とを比較するステップと、
前記ディスプレイ装置の動作時間をチェックするステップと、
前記比較結果及び前記動作時間によってランプの所定色相及び輝度を調節するステップと、を含むユーザの視聴等級に基づいて番組等級及び視聴量を表示する方法。
【請求項６】
前記比較結果によってランプ点灯色相を決定するステップと、をさらに含む請求項５に記載のユーザの視聴等級に基づいて番組等級及び視聴量を表示する方法。
【請求項７】
前記チェックされたディスプレイ装置の動作時間によって前記点灯されたランプの輝度が異なって調整される請求項６に記載のユーザの視聴等級に基づいて番組等級及び視聴量を表示する方法。
【請求項８】
前記比較結果、ユーザ視聴等級と番組等級との差が小さな場合に点灯されるランプの色相と差が大きい場合、点灯されるランプの色が異なって表示される請求項５に記載のユーザの視聴等級に基づいて番組等級及び視聴量を表示する方法。
【請求項９】
前記所定のディスプレイ装置を利用したユーザの視聴情報が保存されてユーザの要請時に提供される請求項５に記載のユーザの視聴等級に基づいて番組等級及び視聴量を表示する方法。
【発明の詳細な説明】
【技術分野】
【０００１】
本発明は、ユーザの視聴等級に基づいて番組等級及び視聴量を表示するディスプレイ装置及びその方法に係り、より詳細には、ユーザの視聴等級を基づいてディスプレイ装置の外郭面ケースに、ランプを利用してＴＶ番組等級及びＴＶ視聴時間情報を提供するユーザの視聴等級に基づいて番組等級及び視聴量を表示するディスプレイ装置及びその方法に関する。
【背景技術】
【０００２】
現在、テレビ放送は暴力または性的な内容のような子供に害になる内容を含むことがある。したがって、適していない番組またはチャンネルを遮断するために多様な親制御システムが開発されてきた。
【０００３】
米国で、扇情性及び暴力性の高い番組を見られないようにする、いわゆるＶチップ（ヴァイオレンスチップ）を使用する遮断システムが、テレビ内容の勧告（等級）のために使われてきた。ここで、等級は、ＮＴＳＣテレビ信号の垂直帰線期間の間、より詳細には第２フィールドの２１番目ラインの間、拡張データサービス（ＸＤＳ）と呼ばれるデータフォーマットを使用して、放送者によりエンコーディングされる。ＸＤＳデータフォーマットは、ＮＴＳＣテレビ信号の第１フィールドの２１番目ラインにエンコーディングされる米国内の字幕フォーマットと類似している。ＸＤＳ及び字幕情報のためのデータフォーマットは、米国家電協会（ＣＥＡ：Ｃｏｎｓｕｍｅｒ Ｅｌｅｃｔｒｏｎｉｃｓ Ａｓｓｏｃｉａｔｉｏｎ）により開発されたＥＩＡ−６０８標準に規定されている。等級信号はそれぞれのＴＶショーと共に伝送されて、ＴＶ装置内に具現されたＶチップシステムにより検出される。この時、Ｖチップシステムは２１番目ラインデータをデコードし、これを許容された等級と比較して信号を遮断または伝達する。
【０００４】
しかし、Ｖチップを利用して強制的にＴＶを消すか、他のチャンネルにまわすか、ＴＶ画面を歪曲させる方法は、ＴＶを見ているユーザの年齢がとても幼い場合を除いては、大部分の子供に反発感を与える。また、強引にＴＶを制御するには既にＴＶは子供の生活において重要なものとなっている。
【０００５】
また、ＴＶ中にＴＶ視聴ヒストリーを見られる画面をアプリケーションの形態で見せる方法があるが、それは、ユーザが複数段階のＧＵＩを通じてのみ見ることができて不便であるという問題点がある。
【０００６】
また、テキスト情報は読むのに長時間がかかり、一目で入らないという問題点があって、ＴＶ画面を直接見ているユーザだけ認識でき、持続的にディスプレイできず、視聴時間の問題は解決できないという問題点がある。
【０００７】
したがって、さらに自然な方法を通じて子供自ら自分の視聴習慣を正しく育てるように支援する方法が必要であり、一目で子供のＴＶ視聴ヒストリーを把握できる方法が必要である。
【０００８】
特許文献１は、ＴＶに照明装置を内蔵し、夜に視聴者が電気を消してＴＶ視聴する途中にＴＶの電源をオフした時、照明装置を一定時間点灯させる照明装置についての方法を開示しているが、これは、周囲の輝度を測定して輝度によって照明装置を動作させるものであって、ユーザの視聴等級に基づいて視聴している番組の等級情報及びＴＶ視聴時間などをランプ色相を変更することによって提供する技術については全く提供していない。
【特許文献１】韓国公開特許第１９９７−５６８３９号公報
【発明の開示】
【発明が解決しようとする課題】
【０００９】
本発明は、ユーザの視聴等級を基づいてディスプレイ装置の外郭面ケースにランプを利用してユーザが利用したＴＶ番組等級及びＴＶ視聴時間情報を提供するところにその目的がある。
【００１０】
本発明の他の目的は、ディスプレイ装置（すなわち、ＴＶ）を利用するユーザの視聴記録及び視聴している番組の等級をさらに便利に観察可能にすることである。
【００１１】
本発明の目的は、前記で言及した目的に限定されず、言及しなかったさらに他の目的は下の記載から当業者ならば明確に理解できる。
【課題を解決するための手段】
【００１２】
前記目的を達成するために、本発明の一実施形態によるユーザの視聴等級に基づいて番組等級及び視聴量を表示するディスプレイ装置は、所定のディスプレイ装置を利用するユーザから入力されたユーザ情報に基づいてユーザ視聴等級を分析し、放送局から伝送された放送信号から番組情報を抽出して番組等級を分析する情報分析部と、前記ユーザ視聴等級と前記番組等級とを比較する等級比較部と、前記比較結果による所定色相のランプを点灯するランプ管理部と、を備える。
【００１３】
また、本発明の実施例によるユーザの視聴等級に基づいて番組等級及び視聴量を表示する方法は、所定のディスプレイ装置を利用するユーザからユーザ情報を入力されるステップと、前記入力されたユーザ情報に基づいてユーザ視聴等級を分析し、放送局から伝送された放送信号から番組情報を抽出して番組等級を分析するステップと、前記分析されたユーザ視聴等級と番組等級とを比較するステップと、前記比較結果による所定色相のランプを点灯するステップと、を備える。
【００１４】
その他の実施例の具体的な事項は詳細な説明及び図面に含まれている。
【発明の効果】
【００１５】
本発明のユーザの視聴等級に基づいて番組等級を表示するディスプレイ装置及びその方法によれば、次のような効果が一つあるいはそれ以上ある。
【００１６】
ユーザが視聴した番組等級による色相と、ユーザが利用したディスプレイ装置（すなわち、ＴＶ）の動作時間による色相とがＴＶの外郭面ケースに備わったランプを通じて現れるために、子供が一人でＴＶを見た場合、親は子供が一人でいる間にどんなＴＶ番組を見て、かつ何時間ＴＶを見たかを直ちに把握できる。
【００１７】
また、子供も自分が視聴した番組等級による色相と、ユーザが用いたＴＶの動作時間による色相とがＴＶの外郭面ケースに備わったランプを通じて現れるために、自律的にＴＶ視聴時間を調節するか、自分の年齢に合う等級の番組を見ようと努力する。また、照明を通じた情報の視覚化を通じてユーザの興味を誘発でき、ＴＶの外観に照明要素が導入されてさらにきれいになるデザイン要素を提供できる。
【発明を実施するための最良の形態】
【００１８】
本発明の利点及び特徴、そしてこれを達成する方法は添付された図面に基づいて詳細に後述されている実施例を参照すれば明確になる。しかし、本発明は以下で開示される実施例に限定されるものではなく、この実施例から外れて多様な形に具現でき、本明細書で説明する実施例は本発明の開示を完全にし、本発明が属する技術分野で当業者に発明の範ちゅうを完全に報せるために提供されるものであり、本発明は請求項及び発明の詳細な説明により定義されるだけである。一方、明細書全体に亙って同一な参照符号は同一な構成要素を示す。
【００１９】
以下、本発明の一実施形態によるユーザの視聴等級に基づいて番組等級及び視聴量を表示するディスプレイ装置及びその方法を説明するためのブロック図、または処理フローチャートに関する図面を参考して本発明について説明する。この時、フローチャートの各ブロックとフロ−チャートの組合わせはコンピュータプログラムインストラクションにより実行可能なのが理解できるであろう。これらコンピュータプログラムインストラクションは、汎用コンピュータ、特殊用コンピュータまたはその他のプログラマブルデータプロセッシング装備のプロセッサーに搭載されうるので、コンピュータまたはその他のプログラマブルデータプロセッシング装備のプロセッサーを通じて実行されるそのインストラクションがフローチャートのブロックで説明された機能を行う手段を生成するように機構を作れる。これらコンピュータプログラムインストラクションは特定方式で機能を具現するためにコンピュータまたはその他のプログラマブルデータプロセッシング装備を指向できるコンピュータ利用可能またはコンピュータ判読可能メモリに保存されることも可能なので、そのコンピュータ利用可能またはコンピュータ判読可能メモリに保存されたインストラクションはフローチャートのブロックで説明された機能を行うインストラクション手段を内包する製造品目を生産することも可能である。コンピュータプログラムインストラクションはコンピュータまたはその他のプログラム可能なデータプロセッシング装備上に搭載することも可能なので、コンピュータまたはその他のプログラマブルデータプロセッシング装備上で一連の動作段階が実行されてコンピュータで実行されるプロセスを生成し、コンピュータまたはその他のプログラマブルデータプロセッシング装備を行うインストラクションはフローチャートのブロックで説明された機能を実行するための段階を提供することも可能である。
【００２０】
また、各ブロックは特定の論理的機能を行うための一つ以上の実行可能なインストラクションを含むモジュール、セグメントまたはコードの一部を示すことができる。また、いくつの代替実行例では、ブロックで言及された機能が順序を外れて発生することも可能であるということに注目せねばならない。例えば、連続して図示されている２つのブロックは、実質的に同時に行われてもよく、またはそのブロックが時々該当する機能によって逆順に行われてもよい。
【００２１】
図１は、本発明の一実施形態によるユーザの視聴等級に基づいて番組等級及び視聴量を表示するディスプレイ装置の内部ブロック図である。ここで、ディスプレイ装置１００は、所定の動画コンテンツを提供する装置であって、ＤＴＶ（デジタルテレビジョン）、デスクトップ及びノート型パソコン等と理解され、本発明ではＤＴＶを例として説明する。
【００２２】
また、本発明でユーザ（すなわち、子供）が視聴したＴＶ番組等級及びＴＶ視聴時間情報を、ディスプレイ装置１００上に親が直ちに分かるように提供することを中心に説明する。しかし、本発明のディスプレイ装置１００は、子供が利用するディスプレイ装置１００に限定されるものではない。
【００２３】
図示するように、ディスプレイ装置１００は、信号受信部１１０、情報入力部１２０、情報分析部１３０、動作時間チェック部１４０、及び等級比較部１５０、ランプ管理部１６０、保存部１７０、ディスプレイ部１８０、及び制御部１９０を備えて構成される。
【００２４】
この際、本実施例で使われる“部”という用語はソフトウェアまたはＦＰＧＡまたはＡＳＩＣのようなハードウェア構成要素を意味し、“部”は所定の役割を行う。しかし、“部”はソフトウェアまたはハードウェアに限定されるものではない。“部”はアドレッシングできる保存媒体に位置すべく構成されても良く、１つまたはそれ以上のプロセッサーを再生させるように構成されても良い。したがって、一例として“部”はソフトウェア構成要素、客体向けソフトウェア構成要素、クラス構成要素及びタスク構成要素のような構成要素と、プロセス、関数、属性、プロシージャー、サブルーチン、プログラムコードのセグメント、ドライバー、ファームウェア、マイクロコード、回路、データ、データベース、データ構造、テーブル、アレイ及び変数を含む。構成要素と“部”内で提供される機能はより少数の構成要素及び“部”に結合されるか、追加的な構成要素と“部”にさらに分離されうる。のみならず、構成要素及び“部”はディバイスまたは保安マルチメディアカード内の１つまたはそれ以上のＣＰＵを再生させるように具現されることもある。
【００２５】
信号受信部１１０は、放送局から伝送される放送信号を受信する。
【００２６】
情報入力部１２０は、ディスプレイ装置１００を利用するユーザから入力されたユーザ情報を入力される。ここで、ユーザ情報は、ディスプレイ装置１００を利用するユーザの年齢、ジャンル、及び利用時間帯などをいい、子供が視聴する場合に親が代わりにユーザ情報を入力してユーザ情報を設定することもできる。
【００２７】
情報分析部１３０は、放送局から伝送された番組の等級及びユーザ視聴等級を分析するものであって、ユーザ情報に基づいてユーザ視聴等級を分析するユーザ情報分析部１３１と、放送信号から番組情報を抽出して番組等級を分析する放送情報分析部１３２とを備える。
【００２８】
動作時間チェック部１４０は、ディスプレイ装置１００の動作時間をチェックするものであって、例えば、ユーザがディスプレイ装置１００をオンさせれば、タイマーを作動させてディスプレイ装置１００がオンとなった時間を記録し、所定時間ごとにディスプレイ装置１００の動作時間をチェックして記録する。
【００２９】
等級比較部１５０は、情報分析部１３０を通じて分析されたユーザ視聴等級と番組等級とを比較する。例えば、分析されたユーザ視聴等級に基づいて現在受信された番組の等級を比較して、番組等級がユーザ視聴等級より高いかまたは低いかを判断する。
【００３０】
ランプ管理部１６０は、等級比較部１５０の比較結果及び動作時間チェック部１４０のディスプレイ装置１００の動作時間情報によって、ランプの点灯色相及びランプの輝度を調節する。
【００３１】
例えば、ユーザの視聴等級と番組等級とを比較した結果、ユーザの視聴等級が番組等級より高い場合、ランプ管理部１６０は青色ランプを点灯させる。
【００３２】
また、ディスプレイ装置１００の動作時間をチェックした結果、4時間未満に動作した場合、１段階点灯（すなわち、弱い輝度）を行う。この時、点灯された色相は、等級比較部１５０の比較結果によって決定される。ここで、ランプの色を青色及び赤色に設定したことは一実施形態であり、より多様な色相を持つランプを利用してもよい。以下、図２で点灯されるランプの色相を詳細に説明する。
【００３３】
保存部１７０は、情報分析部１３０を通じて分析されたユーザ情報、番組情報、及びユーザが視聴したディスプレイ装置１００の視聴情報を保存する。また保存部１７０は、ユーザ視聴等級及び番組等級によるランプの点灯色相情報及びディスプレイ装置１００の動作時間によるランプの点灯色相情報を保存する。ここで、点灯された色相の情報は保存部１７０に一定期間間保存され、ディスプレイ装置１００の電源がオフとなっても削除されない。
【００３４】
例えば、子供が一人でディスプレイ装置１００を利用して所定番組を視聴した後、親がくる前にディスプレイ装置１００をオフまたは電源をオフさせても、親は子供が視聴したディスプレイ装置１００の情報を確認することができる。以下、図２で保存部１７０に保存されたテーブルを詳細に説明する。
【００３５】
ディスプレイ部１８０は、信号受信部１１０が受信した放送信号による放送番組をディスプレイし、ユーザ（ここで、ユーザは、ディスプレイ装置１００を視聴した子供の親をいう）の要請に応じて、保存部１７０に保存されたユーザが視聴したディスプレイ装置１００の視聴情報をディスプレイする。ここで、ディスプレイされるディスプレイ装置１００の視聴情報は、ディスプレイ装置１００を通じて提供された番組の詳細情報及びディスプレイ装置１００の動作時間を細部的に示す。
【００３６】
制御部１９０は、信号受信部１１０を通じて放送信号が受信されれば、受信された放送信号を放送情報分析部１３２に伝送して、受信された放送信号の番組情報を分析して番組等級を抽出するように制御し、情報入力部１２０を通じて入力されたユーザ情報をユーザ情報分析部１３１に伝送してユーザの視聴等級を分析及び抽出するように制御する。
【００３７】
また、制御部１９０は、動作時間チェック部１４０を制御してディスプレイ装置１００の動作時間をチェックさせ、チェックされた動作時間をランプ管理部１６０に伝送して、ランプ管理部１６０をして点灯されたランプの輝度を調節させる。
【００３８】
また、制御部１９０は、ユーザ情報分析部１３１及び放送情報分析部１３２を通じて分析されたユーザ視聴等級と番組等級とを等級比較部１５０に伝送して、等級比較部１５０がユーザ視聴等級と番組等級とを比較してユーザ視聴等級が番組等級より高いかまたは低いかを判断するように制御する。
【００３９】
また、制御部１９０は、等級比較部１５０の比較結果をランプ管理部１６０に伝送して、ランプ管理部１６０がランプの点灯色相を決定するように制御する。
【００４０】
また、制御部１９０は、ディスプレイ部１８０を制御して、ユーザ（ここで、ユーザは、ディスプレイ装置１００を視聴した子供の親をいう）の視聴情報要請に応じてディスプレイ装置１００の視聴情報をディスプレイさせる。
【００４１】
図２は、本発明の一実施形態によるユーザの視聴等級に基づいて番組等級及び視聴量を表示するディスプレイ装置で、保存部に保存された番組等級及び動作時間によるランプの輝度情報を保存するテーブルを示す図面である。
【００４２】
図２Ａは、ユーザの年齢（視聴等級）及び番組等級によってランプの点灯色相情報をマッチングさせておいたテーブルを示す図面である。ここで、テーブルの‘行’方向はユーザの視聴等級１２を表し、テーブルの‘列’方向は番組等級１１を表す。
【００４３】
図示するように、番組等級とユーザの視聴等級（すなわち、ユーザの年齢）１２とが同一であるか、番組等級がユーザの視聴等級（すなわち、ユーザの年齢）より低い場合に点灯されるランプの色相は青色であり、番組等級がユーザの視聴等級より高い場合に点灯されるランプの色相は赤色である。ここで、番組等級がユーザの視聴等級より高い場合に無条件赤色のランプが点灯されるものではなく、番組の等級がユーザの視聴等級といかほど差があるかによって青色ランプと赤色ランプとの点灯比率が異なって適用される。また、ランプの色を青色及び赤色に設定したことは一実施形態であり、より多様な色相を持つランプを利用してもよい。
【００４４】
例えば、番組等級が３才以上視聴可能な等級であり、ユーザの視聴等級（すなわち、ユーザの年齢）が６才である場合に青色ランプが点灯される。また、番組等級が１９才以上視聴可能な等級であり、ユーザの視聴等級が１４才である場合に赤色ランプが点灯される。
【００４５】
また、番組等級が１５才以上視聴可能な等級であり、ユーザの視聴等級が１３才である場合に青色ランプ及び赤色ランプが点灯される。ここで、青色ランプと赤色ランプとが共に点灯される時は、番組等級がユーザの視聴等級とあまり差がない場合である。
【００４６】
一方、本発明では番組等級を４段階に区分し、ユーザ視聴等級を５段階に区分して説明しているが、これは一実施形態に過ぎず、番組等級及びユーザ視聴等級は、適用される技術またはユーザ設定によって異なって区分できる。
【００４７】
図２Ｂは、ディスプレイ装置の動作時間によるランプの輝度段階を保存するテーブルを示す図面である。
【００４８】
図示するように、ディスプレイ装置１００の動作時間２１が4時間未満である場合にランプの輝度２１は１段階（すなわち、弱い輝度）で点灯され、ディスプレイ装置１００の動作時間２１が8時間未満である場合にランプの輝度２１は２段階（すなわち、中間輝度）で点灯され、ディスプレイ装置１００の動作時間２１が８時間以上である場合、ランプの輝度２１は３段階（すなわち、最大輝度）で点灯される。
【００４９】
例えば、現在点灯されたランプの色相が青色であり、ディスプレイ装置１００の動作時間２１が２時間未満である場合、ランプの輝度２１は１段階（すなわち、弱い輝度）で点灯されて薄青色が点灯される。
【００５０】
図３は、本発明の一実施形態によるユーザの視聴等級に基づいて番組等級及び視聴量を表示するディスプレイ装置に備わったランプの配置を示す図面である。ここで、ランプの色が青色及び赤色で表現されているが、これは実施形態に過ぎず、より多様な色相を持つランプを利用してもよい。また、本発明ではそれぞれ異なる色のランプを利用しているが、一つのランプで相異なる色を持つランプを利用してもよい。
【００５１】
一方、図面上青色ランプは実線で、赤色ランプは点線で表示し、表示したランプが点灯した場合、青色ランプは斜線で、赤色ランプは点で表示した。
【００５２】
また、本発明では、ランプ３０はディスプレイ装置１００の外郭面に備わっているが、これは一実施形態に過ぎず、ディスプレイ装置１００に所定色相を提供できるならば他のいかなる部分にも位置できる。
【００５３】
図３Ａに示すように、ディスプレイ装置１００に備わったランプ３０は青色ランプと赤色ランプとに区分され、青色ランプと赤色ランプとが交互に配置されている。ここで、青色ランプと赤色ランプとは、行または列によって配置されてもよく、ディスプレイ装置１００を半分に分けた時に左側面は青色ランプ、右側面は赤色ランプが配置されてもよい。
【００５４】
図３Ｂは、番組等級がユーザ視聴等級より低い場合に青色ランプだけ点灯された例を示すものであり、図３Ｃは、番組等級がユーザ視聴等級より高い場合に赤色ランプだけ点灯された例を示すものである。
【００５５】
図３Ｃは、青色ランプと赤色ランプとが共に点灯された場合に青色ランプがさらに多く点灯された例を示すものであり、図３Ｄは、青色ランプと赤色ランプとが共に点灯された場合に赤色ランプがさらに多く点灯された例を示すものである。
【００５６】
例えば、ユーザが１０才であり、番組等級が１２才以上である場合、すなわち、ユーザの視聴等級と番組等級との差が少ない（ユーザ年齢を基準に１段階差）場合には、番組等級がユーザの視聴等級より高いとしても等級の差が少ないので、青色ランプが多く点灯され、赤色ランプが少なく点灯される。
【００５７】
一方、ユーザが１０才であり、番組等級が１５才以上である場合、すなわち、ユーザの視聴等級と番組等級とが２段階差が出る場合には、赤色ランプが多く点灯され、青色ランプが少なく点灯される。
【００５８】
図４は、本発明の一実施形態によるユーザの視聴等級に基づいて番組等級及び視聴量を表示するディスプレイ装置が番組等級及びディスプレイ装置の動作時間に基づいて点灯されたランプ色相の例を示す図面である。
【００５９】
ここで、図面上で青色ランプは斜線で表示し、赤色ランプは点で表示した。
【００６０】
図示するように、ディスプレイ装置１００に備わったランプ３０は、ユーザの視聴等級に基づいて等級内番組である場合、青色ランプが点灯され、ユーザの視聴等級から遠ざかるほど（すなわち、等級外番組である場合）赤色ランプが多く点灯され、最終的に赤色ランプのみ点灯される。
【００６１】
すなわち、ユーザの視聴等級から遠ざかるほど青色ランプの点灯される数が低減し（すなわち、青色ランプの消灯される数が増加）、赤色ランプの点灯される数は増える。
【００６２】
また、ディスプレイ装置１００の動作時間によって点灯されたランプ３０の輝度が異なって適用される。ここで、ディスプレイ装置１００の動作時間は、ユーザがディスプレイ装置１００を通じて所定番組を視聴した時間をいう。
【００６３】
例えば、ユーザがディスプレイ装置１００を長時間動作させるほど（すなわち、長時間視聴する場合）、点灯されたランプ３０の輝度が最大(例えば、輝度比率１００%)に明るくなり、ディスプレイ装置１００の動作時間が短い場合、点灯されたランプの輝度は弱い輝度(例えば、輝度比率１０％)となる。
【００６４】
すなわち、現在点灯されたランプの色が青色であり、ユーザが８時間以上ディスプレイ装置を利用した場合、ディスプレイ装置に備わった青色ランプは最も明るい青色に点灯される。
【００６５】
したがって、子供がいる家庭の場合に子供が一人でＴＶ（すなわち、ディスプレイ装置）を見たなら、後で家に帰った親は子供が一人でいる間にどのＴＶ番組を見て、かつ何時間ＴＶを見たかを、ＴＶの外郭面ケースに点灯されたランプの色を見て直ちに把握できる。
【００６６】
図５は、本発明の他の実施形態によるユーザの視聴等級に基づいて番組等級及び視聴量を表示する方法を示すフローチャートである。
【００６７】
ディスプレイ装置１００がオンとなれば（Ｓ１００）、制御部１９０は、ユーザ及びディスプレイ装置の動作情報をチェックするために各部を動作及び制御する（Ｓ１１０）。
【００６８】
先ず、ユーザから入力されたユーザ情報を情報入力部１２０が入力されれば、制御部１９０は、ユーザ情報分析部１３１に入力されたユーザ情報を伝送する。これにより、ユーザ情報分析部１３１は、伝送されたユーザ情報を分析してユーザ視聴等級（すなわち、ユーザの年齢）を抽出する（Ｓ１２０）。
【００６９】
次いで、信号受信部１１０が放送局から伝送された放送信号を受信すれば、制御部１９０は、受信された放送信号を放送情報分析部１３２に伝送する。これにより、放送情報分析部１３２は、伝送された放送信号から番組情報を抽出して番組等級を分析する（Ｓ１３０）。
【００７０】
次いで、制御部１９０は、ユーザ情報分析部１３１が分析したユーザ視聴等級と、放送情報分析部１３２が分析した番組等級情報とを等級比較部１５０に伝送し、等級比較部１５０は、伝送されたユーザ視聴等級と番組等級とを比較する（Ｓ１４０）。
【００７１】
次いで、等級比較部１５０は、比較結果を制御部１９０に伝送し、制御部１９０は、等級比較部１５０から伝送された比較結果をランプ管理部１６０に伝送し、ランプ管理部１６０は、伝送された比較結果による該当ランプ色相を点灯させる（Ｓ１５０）。
【００７２】
ここで、ユーザ視聴等級と番組等級とを比較する過程を図６を参照して詳細に説明すれば、等級比較部１５０は、保存部１７０に保存されたユーザ年齢及び番組等級によってランプの点灯色相情報をマッチングさせておいたテーブルを参照して、ユーザの年齢による番組等級を検索する（Ｓ１４１）。
【００７３】
次いで、等級比較部１５０は、検索された番組等級とユーザの視聴等級とを比較し、比較した結果、ユーザ視聴等級が番組等級より高い場合（Ｓ１４２）、ランプ管理部１６０は、青色ランプが点灯されるように青色ランプをオンさせる（Ｓ１４３）。
【００７４】
また、比較結果ユーザ視聴等級が番組等級より低い場合（Ｓ１４２）、等級比較部１５０は、ユーザの視聴等級と番組等級との差をチェックする。
【００７５】
チェック結果、ユーザの視聴等級と番組等級とが１段階の差が出る場合（すなわち、２段階または３段階の差が出る場合）、ランプ管理部１６０は、青色ランプと赤色ランプとを共に点灯させ（Ｓ１４４、Ｓ１４５）、チェックした結果、ユーザの視聴等級と番組等級とが１段階以上差が出る場合、ランプ管理部１６０は、赤色ランプを点灯させる（Ｓ１４６）。ここで、青色ランプと赤色ランプとが共に点灯される場合、青色ランプと赤色ランプとが共に点灯または消灯される比率をそれぞれ異なって適用できる。
【００７６】
一方、制御部１９０は、ディスプレイ装置１００が動作すれば、動作時間チェック部１４０にディスプレイ装置１００が動作することを知らせ、動作時間チェック部１４０は、タイマーを作動させてディスプレイ装置１００が動作した時間を記録し、所定時間ごとにディスプレイ装置１００の動作時間をチェックする（Ｓ１６０）。
【００７７】
次いで、制御部１９０は、チェックされた動作時間をランプ管理部１６０に伝送し、ランプ管理部１６０は、伝送されたディスプレイ装置１００の動作時間に基づいてランプの輝度を調節して点灯させる（Ｓ１７０）。
【００７８】
ここで、ディスプレイ装置１００の動作時間に基づいてランプの輝度を調節する過程を図７を参照して詳細に説明すれば、等級比較部１５０は、保存部１７０に保存されたディスプレイ装置１００の動作時間によるランプの輝度を保存するテーブルを参照して、動作時間チェック部１４０がチェックした動作時間によるランプの輝度を検索する（Ｓ１６１）。
【００７９】
次いで、等級比較部１５０は、検索された動作時間によるランプの輝度情報をランプ管理部１６０に伝送し、ランプ管理部１６０は、伝送されたランプの輝度情報に基づいて点灯されたランプの輝度を調節する（Ｓ１６２）。
【００８０】
したがって、ユーザが視聴した番組等級による色相と、ユーザが用いたディスプレイ装置の動作時間による色相とがディスプレイ装置１００の外郭面ケースに備わったランプを通じて現れるために、子供が一人でＴＶ（すなわち、ディスプレイ装置）を見た場合、親は子供が一人でいる間にどんなＴＶ番組を見て、かつ何時間ＴＶを見たかを直ちに把握できる。
【００８１】
また、子供も自分が視聴した番組等級による色相と、ユーザが利用したディスプレイ装置の動作時間による色相とがディスプレイ装置１００の外郭面ケースに備わったランプを通じて現れるために、自律的にＴＶ視聴時間を調節するか、自分の年齢に合う等級の番組を見ようと努力する。
【００８２】
本発明の望ましい実施形態を説明する。ここで、ＴＶを視聴しようとするユーザの年齢は１２才であり、ＴＶにユーザの等級情報が設定されていると仮定する。また、ユーザは３時間ＴＶを視聴していると仮定する。
【００８３】
まず、ユーザがＴＶを動作させれば、動作時間チェック部１４０は、ＴＶが動作した時間を記録及びチェックする。
【００８４】
次いで、放送局から受信された放送信号から番組情報を抽出して番組等級を分析する。ここで、分析された番組等級は、１９才以上視聴可能な等級である。
【００８５】
次いで、等級比較部１５０は、設定されたユーザの視聴等級（すなわち、１２才）と分析された番組等級（すなわち、１９才以上視聴可能等級）とを比較し、比較結果受信された番組は、ユーザが視聴できない等級外の放送であると判断する。
【００８６】
したがって、ランプ管理部１６０は赤色ランプを点灯させ、ユーザのＴＶ視聴時間情報（すなわち、３時間視聴）によって中間輝度で赤色ランプを点灯させる。
【００８７】
したがって、ＴＶを視聴しているユーザの親は、ＴＶ番組の等級及びＴＶ視聴時間を一目で分かる。
【００８８】
以上、添付図を参照して本発明の実施例を説明したが、 本発明が属する技術分野で当業者ならば本発明がその技術的思想や必須特徴を変更せずとも他の具体的な形に実施されうるということが理解できるであろう。したがって、前述した実施例は全ての面で例示的なものであって、限定的なものではないと理解せねばならない。
【産業上の利用可能性】
【００８９】
本発明は、例えば、テレビなどのディスプレイ装置の関連技術分野に好適に用いられる。
【図面の簡単な説明】
【００９０】
【図１】本発明の一実施形態によるユーザの視聴等級に基づいて番組等級及び視聴量を表示するディスプレイ装置の内部ブロック図である。
【図２Ａ】本発明の一実施形態によるユーザの視聴等級に基づいて番組等級及び視聴量を表示するディスプレイ装置で、保存部に保存された番組等級及び動作時間によるランプの輝度情報を保存するテーブルを示す図である。
【図２Ｂ】本発明の一実施形態によるユーザの視聴等級に基づいて番組等級及び視聴量を表示するディスプレイ装置で、保存部に保存された番組等級及び動作時間によるランプの輝度情報を保存するテーブルを示す図である。
【図３Ａ】本発明の一実施形態によるユーザの視聴等級に基づいて番組等級及び視聴量を表示するディスプレイ装置に備わったランプの配置を示す図である。
【図３Ｂ】本発明の一実施形態によるユーザの視聴等級に基づいて番組等級及び視聴量を表示するディスプレイ装置に備わったランプの配置を示す図である。
【図３Ｃ】本発明の一実施形態によるユーザの視聴等級に基づいて番組等級及び視聴量を表示するディスプレイ装置に備わったランプの配置を示す図である。
【図３Ｄ】本発明の一実施形態によるユーザの視聴等級に基づいて番組等級及び視聴量を表示するディスプレイ装置に備わったランプの配置を示す図である。
【図３Ｅ】本発明の一実施形態によるユーザの視聴等級に基づいて番組等級及び視聴量を表示するディスプレイ装置に備わったランプの配置を示す図である。
【図４】本発明の一実施形態によるユーザの視聴等級に基づいて番組等級及び視聴量を表示するディスプレイ装置で、番組等級及びディスプレイ装置の動作時間に基づいて点灯されたランプ色相の例を示す図である。
【図５】本発明の他の実施形態によるユーザの視聴等級に基づいて番組等級及び視聴量を表示する方法を示すフローチャートである。
【図６】本発明の他の実施形態によるユーザの視聴等級に基づいて番組等級及び視聴量を表示する方法のうち、ユーザ視聴等級及び番組等級によって点灯されるランプを決定する過程を示す図である。
【図７】本発明の他の実施形態によるユーザの視聴等級に基づいて番組等級及び視聴量を表示する方法のうち、ディスプレイ装置の動作時間によって点灯されるランプの輝度を決定する過程を示す図である。
【符号の説明】
【００９１】
１００      ディスプレイ装置
１１０      信号受信部
１２０      情報入力部
１３０      情報分析部
１３１      ユーザ情報分析部
１３２      放送情報分析部
１４０      動作時間チェック部
１５０      等級比較部
１６０      ランプ管理部
１７０      保存部
１８０      ディスプレイ部
１９０      制御部
【図１】
0004481965.tif 000002
【図２Ａ】
0004481965.tif 000003
【図２Ｂ】
0004481965.tif 000004
【図３Ａ】
0004481965.tif 000005
【図３Ｂ】
0004481965.tif 000006
【図３Ｃ】
0004481965.tif 000007
【図３Ｄ】
0004481965.tif 000008
【図３Ｅ】
0004481965.tif 000009
【図４】
0004481965.tif 000010
【図５】
0004481965.tif 000011
【図６】
0004481965.tif 000012
【図７】
0004481965.tif 000013